(57)【要約】【課題】利用者は、多種多様の記憶媒体に応じた記録、再生機器を多数使用しなければなく、また、コンピューターソフトウェアや音楽、動画等の著作物が、著作権者に無断で複製、販売されるケースが問題となっている。【解決手段】特定の者だけが、法律に基づき著作者の権利を守り著作物を保護し、尚かつ「いつでも、どこでも」インターネットを介してあらゆる電子データを利用可能にする制御可能なデータベースサーバを使う事を特徴とする著作権を保護したユビキタスの方法。【選択図】図１
2005182721.tif 000002
【特許請求の範囲】
【請求項１】
特定の者だけが、法律に基づき著作者の権利を守り著作物を保護し、尚かつ「いつでも、どこでも」インターネットを介してあらゆる電子データを利用可能にする制御可能なデータベースサーバを使う事を特徴とする著作権を保護したユビキタスの方法。
【請求項２】
上記著作物が、電子データであり、インターネットを介してデータベースサーバを使う事を特徴とする請求項１記載の著作権を保護したユビキタスの方法。
【請求項３】
上記著作物が、著作権法上の個人利用を目的とした電子データである場合はＩＤ、パスワード、指紋認証等の行為を伴うことを特徴とする請求項１又は請求項２に記載の著作権を保護したユビキタスの方法。
【請求項４】
データベースサーバに蓄積された電子データを、インターネットを介して「いつでも、どこでも」利用する場合において、著作権者の許諾しない不特定多数による使用を制限する制御手段を備えたことを特徴とする請求項１乃至３のいずれかに記載の著作権を保護したユビキタスの方法。
【請求項５】
上記電子データを、インターネットを介してデータベースサーバを使うことを特徴とする請求項１乃至４のいずれかに記載の著作権を保護したユビキタスの方法。
【発明の詳細な説明】
【技術分野】
【０００１】  本発明は、特定の者が著作権を守りデータベースサーバ（以下、「ＤＢＳ」とも言う。）に蓄積された、あらゆる電子データを「いつでも、どこでも」インターネットを介し使用する方法に関するものである。
【背景技術】
【０００２】  近年、インターネットの普及とブロードバンド通信のインフラが整備され、高画質の動画等、大量にデータを高速で移動させる事が出来るようになったが、記憶媒体として、カセットテープ、ＶＨＳビデオテープ、８ミリビデオテープ、ＣＤ、ＭＤ、ＦＤ、ＭＯ、メモリースティック、ＳＤメモリーカードさらに５種類のＤＶＤ等が存在している。
【特許文献１】特開２００３−１４１４５４号公報
【発明の開示】
【発明が解決しようとする課題】
【０００３】  このために、利用者は各々に応じた記録、再生機器を多数使用しなければならないという問題点がある。また、コンピューターソフトウェアや音楽、動画等の著作物が、著作権者に無断で複製、販売されるケースが問題となっている。
本発明は、著作権者に許諾された著作物やあらゆる電子データを制御可能なＤＢＳに蓄積することにより、コピーワンス等の複製が制限された著作物を保護しつつ、特定の者だけがインターネットを介して「いつでも、どこでも」あらゆる電子データを使用する事が可能な方法を提供する事を技術的課題とするものである。
【課題を解決するための手段】
【０００４】  前記の課題を解決するため、本発明の請求項１は、制御可能なＤＢＳを使用する事によって、蓄積された電子データを使用する者を特定し、従来は相互に互換性の伴わない磁気、電子データや再生機器や記録メディア等（以下の〔表１〕に例示）の物体を移動させることでしか出来なかったものを、必要な時に必要な場所でインターネットを介してデータを利用可能とすることを特徴とするものである。【０００５】
【表１】
2005182721.tif 000003
【０００６】  上記電子データを利用する方法としては、例えばＩＤ、パスワード、指紋認証等の手段を用いて使用者を特定する方法、あるいは、使用者が上記方法を用いて特定したＩＰアドレスを持つ端末機から使用する等の方法がある。この事により、著作権者に許諾された有料、無料ＴＶ番組等も国内外を問わず視聴可能となる。【０００７】  請求項２の電子データ化された著作物とは、既に購入あるいは正当な手段を用いて入手されたアナログデータを電子データに変換してＤＢＳに蓄積された著作物で、このような著作物をインターネットで利用できる事を特徴とするものである。【０００８】  請求項３の著作権法上の個人利用を目的とした電子データの場合とは、法律上制限を受けない者だけが使用出来る装置であることを特徴とするものである。【０００９】  請求項４の装置はインターネットを介してＤＢＳにアクセスし、利用する場合において、違法に複製・公開する事を制限する事を主たる目的とする装置である。例えば著作権者が指紋認証等を使用条件として著作物に電子データを添付している場合は、事前に登録をした特定の者だけが、利用する事を許可されることを特徴とする装置である。【００１０】  請求項５の装置は請求項４の構成においてＤＢＳに蓄積された電子データを、インターネットを介して使用する事を特徴とするものである。
【発明の効果】
【００１１】  本発明の請求項１のＤＢＳ利用方法は、現在問題となっている著作権の保護を前提とした方法であり、特定の者だけが利用できるＤＢＳに従来の互換性の伴わないデータを含め、あらゆる電子データを蓄積するという従来とは全く異なる方法であるにもかかわらずインターネットを介して「いつでも、どこでも」利用できる方法である。【００１２】  請求項２のＤＢＳの利用方法は、著作物が電子データであるからコピーワンス、コピーガード等の情報をデータに組み込む事が可能なので、容易に著作権を侵害する事ができない。したがって利便性を大いに向上させることができる方法である。【００１３】  請求項３の方法は、使用者を限定するためのプログラムを記録した方法であるから、著作権者の権利を守り著作物を保護する事ができる。【００１４】  請求項４の方法は、有料、無料のＴＶ番組や映画等の視聴契約に代表される個人や同一世帯の構成員にのみ使用者を限定する事ができる。【００１５】  請求項５の方法は、インターネットを介して使用するので、ＤＢＳの設置場所を問わない利点がある。
【発明を実施するための最良の形態】
【００１６】  以下、本発明の実施形能を図面に基づいて説明する。図１に示すように、本ユビキタスを実現する為のネットワークは、著作物を含めた、あらゆる電子データを蓄積したデータベースサーバＤＢＳ１にインターネット４を介して接続可能としたものである。【００１７】  上記データベースサーバＤＢＳ１は、ワークステーション等からなり、図２に示すように、主制御部５、キーボード及びマウス等の入力装置６ａ及びインタフェース回路６ｂを備えた入力部６、ハードディスク等からなる記憶部７、上記にインターネット４を介し、端末機、２ａ、２ｂ．．．、及び３ａ、３ｂ．．．と双方向のデータ通信を行う為の通信部８、表示部９等の双方向に通信可能なシステムバス１０によって接続された通常の構成である。【００１８】  主制御部５は、制御手段としてＣＰＵ５ａと、データベースサーバＤＢＳ１全体を制御するプログラム等の記憶されたＲＯＭ（Ｒｅａｄ  Ｏｎｌｙ  Ｍｅｍｏｒｙ）５ｂと、ＲＡＭ（Ｒａｎｄｏｍ  Ａｃｃｅｓｓ  Ｍｅｍｏｒｙ）５ｃとを備えている。後述する使用制限手段等の各種記憶手段は、ＲＡＭ５ｃ内の適宣のアドレスに各々に設けられる。【００１９】  上記に端末機からなるクライアント２ａ、２ｂ．．．、及び３ａ、３ｂ．．．の構成は、機能面での相違はあるものの、基本的にデータベースサーバＤＢＳ１と同様に、主制御部、入力部、記憶部、通信部、表示部等（具体的に図示せず）を備えてなるものが好ましいが、利用目的によってはその一部のみでも備えてあればよい。【００２０】  以下、データベースサーバＤＢＳ１を用いた利用手段を説明する。まず、利用の対象となる著作物を含むあらゆる電子データをデータベースサーバＤＢＳ１に入力部６を通じてハードディスク等からなる記憶部７に記録させる。使用者は端末機２ａ、２ｂ．．．及び３ａ、３ｂ．．．からインターネットを介して通信部８から主制御部５にＩＤ、パスワード、指紋認証等の入力を行いデータベースサーバＤＢＳ１利用の制限を解除する。次に使用したい電子データを記憶部７から読み出してＣＰＵ５ａにデータ一覧、特定データ等の読み出し指示を行う。【００２１】  読み出した電子データがさらなる認証を行う必要がある場合に限り再度任意の方法で認証を行う。【００２２】  この場合、異なる場所にいる著作権者の許諾した同一世帯の構成員が、同一の電子データを同時に利用する事が可能となる。【００２３】  例えば世帯単位で契約を行ったＴＶ番組を家庭内と家庭外（国外を含む）の各々の端末機２ａ、２ｂ．．．及び３ａ、３ｂ．．．からでも視聴可能となる（図３に例示）。【００２４】  つまりインターネット４を介して通信部８を通じ主制御部５に指示を与える事が可能であれば、端末機３ａ、３ｂ．．．等の場所は問わない（図４）。【００２５】  次にＤＢＳ１に対する電子データの変更、追加を行う方法を説明する。変更を行いたい場合は端末機２ａ、２ｂ．．．及び３ａ、３ｂ．．．からインターネット４を介して変更（コンピューターソフトウェアのアップグレード、コンテンツの編集、削除等）を指示する。【００２６】  電子データの追加を行う場合は、新たに入力したい任意の電子データを入力する。
【産業上の利用可能性】
【００２７】  本発明は、特定の者が著作権を守りＤＢＳに蓄積された、あらゆる電子データを「いつでも、どこでも」インターネットを介し使用する方法及びその装置に適用可能である。
【図面の簡単な説明】
【００２８】
【図１】本発明の実施形態に係る、データベースサーバの利用方法を実行するためのネットワークを示す説明図である。
【図２】上記ネットワーク中のデータベースサーバの概略構成を示す説明図である。
【図３】本発明の新規性を示す説明図である。
【図４】本発明の利便性を表すネットワークを示す説明図である。
【図５】上記データベースサーバの利用方法の手順を示すフローチャートである。
【符号の説明】
【００２９】１    データベースサーバ
２ａ、２ｂ    家庭内端末機
３ａ、３ｂ    家庭外端末機
４    インターネット
【図１】
2005182721.tif 000004
【図２】
2005182721.tif 000005
【図３】
2005182721.tif 000006
【図４】
2005182721.tif 000007
【図５】
2005182721.tif 000008